(57)【特許請求の範囲】
【請求項１】
浴槽および洗い場の壁面にそれぞれ回転水噴出ノズル部、回転洗剤噴出ノズル部、固定洗剤噴出ノズル部を配置し、各固定洗剤噴出ノズル部から噴出される洗剤の噴出部位と各回転洗剤噴出ノズル部から噴出される洗剤の噴出部位とを調整して浴槽全体および洗い場全体に洗剤がいきわたるように設定し、かつそれら各回転洗剤噴出ノズル部、各固定洗剤噴出ノズル部からの洗剤噴出の前段と後段に各回転水噴出ノズル部から水を噴出させるようにした浴室の洗浄装置。
【請求項２】
回転水噴出ノズル部はライン状に水を噴出する構成とするとともに、斜め下方を向いた軸を回転軸とし、かつ前記軸に対して所定の角度を傾けて回転させるようにした請求項１記載の浴室の洗浄装置。
【請求項３】
回転水噴出ノズル部から噴出される水は、洗い場の水が排水される方向に移動するようにその回転方向を設定した請求項１または２記載の浴室の洗浄装置。
【請求項４】
回転洗剤噴出ノズル部は円錐状で霧状に噴出する構成とするとともに、斜め下方を向いた軸を回転軸とし、かつ前記軸に対して所定の角度を傾けて回転させるようにした請求項１記載の浴室の洗浄装置。
【発明の詳細な説明】
【０００１】
【発明の属する技術分野】
本発明は浴室の洗浄装置に関するものである。
【０００２】
【従来の技術】
従来のこの種の浴室の洗浄装置は実開平７−２７４６３号公報に示すようなものが一般的であった。
【０００３】
図１２に従来の浴室洗浄装置の構造を示しており、噴出ノズル１と噴出制御手段２とを有して、洗剤や洗浄水を噴出ノズル１より噴出して浴室内を洗浄するように構成されていた。
【０００４】
【発明が解決しようとする課題】
しかしながら上記のような構成では、洗剤を浴室内に噴出し、その後水を散布しても隅々まで洗剤を行き渡らせることが出来ない場合があったり、水の力でも十分に汚れを落とせない場合があった。
【０００５】
【課題を解決するための手段】
本発明は上記課題を解決するために、浴槽および洗い場の壁面にそれぞれ回転水噴出ノズル部、回転洗剤噴出ノズル部、固定洗剤噴出ノズル部を配置し、各固定洗剤噴出ノズル部から噴出される洗剤の噴出部位と各回転洗剤噴出ノズル部から噴出される洗剤の噴出部位とを調整して浴槽全体および洗い場全体に洗剤がいきわたるように設定し、かつそれら各回転洗剤噴出ノズル部、各固定洗剤噴出ノズル部からの洗剤噴出の前段、後段に各回転水噴出ノズル部から水を噴出させるようにしたものである。
【０００６】
上記発明によれば、浴室内における洗い場および浴槽に洗剤をほぼ均一に噴霧することができ、かつ回転水噴出ノズル部により確実に水洗いができる。
【０００７】
【発明の実施の形態】
本発明は、浴槽および洗い場の壁面にそれぞれ回転水噴出ノズル部、回転洗剤噴出ノズル部、固定洗剤噴出ノズル部を配置し、各固定洗剤噴出ノズル部から噴出される洗剤の噴出部位と各回転洗剤噴出ノズル部から噴出される洗剤の噴出部位とを調整して浴槽全体および洗い場全体に洗剤がいきわたるように設定し、かつそれら各回転洗剤噴出ノズル部、各固定洗剤噴出ノズル部からの洗剤噴出の前段、後段に各回転水噴出ノズル部から水を噴出させるようにしたものである。
【０００８】
前記回転水噴出ノズル部はより確実な水洗いを行うべく、ライン状に水を噴出する構成とするとともに、斜め下方を向いた軸を回転軸とし、かつ前記軸に対して所定の角度を傾けて回転させるようにしておくのが望ましく、しかも、洗い場の水が排水される方向に移動するようにその回転方向を設定しておく。
【０００９】
一方の回転洗剤噴出ノズル部も、均一に洗剤を噴霧するために、円錐状で霧状に噴出する構成とするとともに、斜め下方を向いた軸を回転軸とし、かつ前記軸に対して所定の角度を傾けて回転させるようにしておく。
【００１０】
以下、本発明の実施例について、図面を参照して説明する。
【００１１】
（実施例）
図１において、浴室３は入浴するための空間であり、主として浴槽４、洗い場５、壁６、天井７、扉８から構成されている。９は浴室の壁面に取り付けた洗浄装置、１０は前記洗浄装置をコントロールする制御ボックス、１１は脱衣場に設けられたリモコン、１２は水の入り口であり、水道管等とつないで水を洗浄装置９に供給するためのものである。
【００１２】
図２は、洗浄装置９を拡大したものであり、水の噴出ノズル部（回転水噴出ノズル部）１３と洗剤の噴出ノズル部（回転洗剤噴出ノズル部）１４とがそれぞれ２個ずつ設けられている。
【００１３】
また、１４ａは固定洗剤噴出ノズル部であり、前記回転洗剤噴出ノズル部からの洗剤噴霧でカバーできない範囲に洗剤を噴霧するものである。１５は水の逆流を防ぐ逆止弁、１６は水の通路を開閉する電磁弁であり、これにより回転水噴出ノズル部１３からの散水を制御するものである。
【００１４】
１７は洗剤のタンク、１８は洗剤のポンプであり、前記タンク１７から洗剤を吸い込み、加圧して回転洗剤噴出ノズル部１４および固定洗剤噴出ノズル部１４ａより噴出させるものである。３４は前記固定噴出ノズルに洗剤を送るポンプであり、分岐ホース３５により接続されている。
【００１５】
図３は回転水噴出ノズル部１３を示し、１９はモーター、２０はモーター１９によって回転させられる回転部材で、斜め下方を向いた回転軸２１を中心に回転するように構成されている。２２は回転部材２０を支持する回転支持部材、２３と２４は水が漏れるのを防ぐためのＯリング、２５は水の入り口継ぎ手、２６は回転部材２０が抜けないようにする止め部材、２７はノズル取りつけ軸であり、回転軸２１に対してαだけ傾いている。この角度αを変化させることにより、散水の範囲を変えることが可能である。２８はノズルであり、図４（Ａ）（Ｂ）に示すように絞り部２９とＶ溝３０の作用により水はライン状（扁平に広がった状態）に噴出する構成になっている。また、回転水噴出ノズル部１３は、浴槽へのまたぎ込み部分３１、３２を洗浄できるようにこれにまたがる形で２個配置されている。
【００１６】
次に動作について説明すると、電磁弁１６を開いて水を噴出すると、図５に示すように水はライン状に回転水噴出ノズル部１３より噴出する。ここで、モータ１９を作動させると、回転部材２０が回転支持部材２２の中を同軸に回転する。
【００１７】
そして、ノズル２８が回転軸２１に対してαだけ傾いて回転し、図に示すようにライン状に噴出しながら回転し、図に示すように同心円状に実線の位置から破線の位置へと移動して床や壁面を順次洗浄していく。また、向かって左側の噴出ノズル１３からも同様に水を噴出することにより、またぎ込みの部分３１、３２もほぼ完全に洗浄することが可能になる。
【００１８】
以上のように、ライン状の噴流であることにより、回転水噴出ノズル部１３より噴出する水の当たる面積が限定され、狭い範囲に強い噴流を当てることができるとともに、噴流の速度が大きく到達距離が確保できるため水が遠くまで行き渡る。
【００１９】
加えて、ノズル部分が斜め下方を向いた軸２１を回転軸とし、前記軸に対して所定の角度を傾けて回転する構成であるため、同心円状に水を散布することで、噴出する水の当たる面積が限定されるにも拘らず、広い範囲に散布し、満遍なく水を散布することができるものである。また、水の場合は上記に加えて、噴流の力が強いため、こびりついた汚れでも水の力で洗い落とすことが出来、汚れをほぼ完全に取り去ることが可能になるものである。
【００２０】
また、回転水噴出ノズル部１３は、回転軸２１を中心として、図５のＡで示す洗い場の水が排水される方向に回転する構成としたものである。そして、この構成により排水を促進し、かつ汚れを排水の方向に運ぶことにより、汚れを澱ませることなく素早く洗い流すことが可能となる。
【００２１】
一方、回転洗剤噴出ノズル部１４は、前述した回転水噴出ノズル部１３とほぼ同様の構成・動作からなり、洗剤は円錐状で霧状に噴出し、斜め下方を向いた軸を回転軸とし、前記軸に対して所定の角度を傾けて回転する。回転洗剤噴出ノズル１４は、図６に示すように、ノズルを旋回用チップ３１（穴が斜め向きに開いており、旋回流を発生させる）と、絞り部３２とを有する構成にすることにより、洗剤を円錐状で霧状に噴出する。これにより、洗剤の噴霧量を少なくし経済的な洗浄が可能となる。
【００２２】
固定洗剤噴出ノズル部１４ａについては、図７および図８に示すように、旋回用チップ３６の中心の穴が開いていないものを用いているため、噴霧量は少ないが旋回が大きく、大きく広がった噴霧ができるものである。旋回が大きくなるので、洗剤の噴出角度が大きくなる。
【００２３】
また、固定洗剤噴出ノズル１４ａは円形のノズル形状とする。
【００２４】
洗剤の噴霧において、図９に示すように回転洗剤噴出ノズル１４による強めの到達距離の大きい噴流３７によって浴室内の洗浄装置９から遠くの広い範囲に洗剤を噴霧し、固定洗剤噴出ノズル１４ａの噴流により、前記回転洗剤噴出ノズル１４によって噴霧出来な洗浄装置９から近傍の範囲を噴霧することでほぼ均一に噴霧を行うものである。
【００２５】
また、前記固定洗剤噴出ノズル１４ａは噴霧時間を長くすることにより、噴霧の角度が広がることによる洗剤の量の少なさを補うことができるものである。
【００２６】
さらに、詳細に説明すると回転洗剤噴出ノズル部１４は、洗い場および浴槽にそれぞれ１つ設け、浴槽の洗浄装置９から近傍の範囲に噴霧する固定洗剤噴出ノズル部１４ａを１つ設けた構成とする。
【００２７】
本構成により、１つの回転洗剤噴出ノズル１４で、洗い場はほぼ均一に洗剤を噴霧でき、浴槽については１つの回転洗剤噴出ノズル１４と固定洗剤噴出ノズル部１４ａにより浴槽部分をほぼ均一に洗剤を噴霧することができ、無駄のない経済的な散布が可能となる。
【００２８】
また、毎日の汚れの多い浴槽部分と汚れの少ない洗い場とを区別することで、洗剤の噴霧量を汚れの多い浴槽部分に多く均一に噴霧することができる。
【００２９】
さらに、浴槽の洗浄装置９から近傍の範囲に噴霧する固定洗剤噴出ノズル部１４ａにより、毎日の汚れが付着しやすい浴槽の喫水線部にも均一に洗剤を噴霧することができる。
【００３０】
また、図１０に示すように、固定洗剤噴出ノズル部１４ａのノズル孔３９を長円形のノズル形状とすることにより、図１１に示すように浴槽４の形状や汚れの場所に合わせて、効率よく洗剤を散布する事が可能になる。
【００３１】
また、上記の構成において、制御部１０は回転水噴出ノズル部１３より水を噴出した後、回転洗剤噴出ノズル部１４と固定噴出ノズル１４ａより洗剤を噴出し、所定の時間経過した後、再度回転水噴出ノズル部１３より水を噴出する構成としてある。これにより、最初に水噴出ノズル部１３により噴出された水により入浴後に残った泡等を洗い流し、つぎに洗剤噴出ノズル部１４、１４ａより出た洗剤により浴槽等にこびりついた石けんカスのような汚れを溶かし、所定の時間経過して汚れが溶けた時点で再度水噴出ノズル１３より水を噴出することにより浴室の汚れをほぼ完全に取り去ることができるようになるものである。
【００３２】
以上実施例の技術的意義を今一度述べれば以下の通りとなる。
【００３３】
（１）室内における浴槽などの細長い形状でも、洗剤をほぼ均一に噴霧することができ、かつ回転水噴出ノズル部により水洗いができる。
【００３４】
（２）ライン状の噴流であることにより、ノズルより噴出する水と当たる面積が限定され、狭い範囲に強い噴流を当てることができるとともに、噴流の速度が大きく到達距離が確保できるため水が遠くまで行き渡るとともに、広い範囲に散布し、万遍なく水を散布することができる。
【００３５】
（３）排水を促進し、かつ汚れを排水の方向に運ぶことにより、汚れを澱ませることなく素早く洗い流すことが可能となる。
【００３６】
（４）洗剤を効率よく、無駄に使うこと無く散布できる。
【００３７】
（５）回転洗剤噴出ノズルは遠くまで到達可能な強い噴流を短時間当てることで洗剤の散布量を確保し、一方固定洗剤噴出ノズルは近傍までしか届かないが長時間噴流を当てることで洗剤の散布量を確保し、無駄のない経済的な散布が可能となる。
【００３８】
（６）浴室内の洗い場および浴槽それぞれに対し、洗剤を均一、かつ広範囲に噴霧することができ、無駄のない経済的な散布が可能となる。
【００３９】
（７）浴槽の形状や汚れの場所に合わせて、効率よく洗剤を散布する事が可能になる。
【００４０】
（８）水噴出ノズル部により噴出された水により入浴後に残った泡等を洗い流し、つぎに洗剤噴出ノズル部より出た洗剤により浴槽等にこびりついた石けんカスのような汚れを溶かし、所定の時間経過して汚れが溶けた時点で再度水を噴出すことにより浴室の汚れを確実に取り去ることができる。
【００４１】
【発明の効果】
このように本発明によれば、浴室内における洗い場および浴槽を確実に水洗いすることができるものである。
【図面の簡単な説明】
【図１】  本発明の実施例１の形態による浴室の洗浄装置を備えた浴室の斜視図
【図２】  同実施例１の形態による洗浄装置の斜視図
【図３】  同洗浄装置の噴出ノズル部を示す拡大断面図
【図４】  （Ａ）は同洗浄装置の噴出ノズルを示す拡大断面図
（Ｂ）は同洗浄装置の噴出ノズルを示す拡大正面図
【図５】  同装置による水の洗浄動作を説明する斜視図
【図６】  同装置の洗剤噴出ノズルを示す拡大断面図
【図７】  同装置の固定噴出ノズルを示す拡大断面図
【図８】  同装置の固定噴出ノズルを示す拡大正面図
【図９】  同装置による洗剤の洗浄動作を説明する斜視図
【図１０】  同装置の固定噴出ノズルの他の例を示す拡大正面図
【図１１】  同装置による洗剤の洗浄動作を説明する斜視図
【図１２】  従来の浴室の洗浄装置を示す正面断面図
【符号の説明】
３  浴室
１０  制御部
１３  回転水噴出ノズル部
１４  回転洗剤噴出ノズル部
１４ａ  固定洗剤噴出ノズル部
【図１】
0003858329.tif 000002
【図２】
0003858329.tif 000003
【図３】
0003858329.tif 000004
【図４】
0003858329.tif 000005
【図５】
0003858329.tif 000006
【図６】
0003858329.tif 000007
【図７】
0003858329.tif 000008
【図８】
0003858329.tif 000009
【図９】
0003858329.tif 000010
【図１０】
0003858329.tif 000011
【図１１】
0003858329.tif 000012
【図１２】
0003858329.tif 000013